(57)【要約】【課題】  携帯電話機が受信したデータを即時に情報処理端末へ転送する送受信システムを提供する。【解決手段】  通信ケーブル４を介して、携帯電話機２とコンピュータ３との間で通信を行うことで、携帯電話機２が着信したデータをコンピュータ３へ転送する。このことによりユーザがコンピュータ３の転送要求を行わなくても、携帯電話機２が着信した着信データがコンピュータ３に転送され、ユーザは携帯電話機２で着信したデータを即時に確認することができる。【選択図】  図１
2006340200.tif 000002
【特許請求の範囲】
【請求項１】
携帯電話機と、
上記携帯電話機と所定のインターフェースを介して通信する情報処理端末とを備え、
上記携帯電話機は着信した着信データを上記情報処理端末へ転送すること
を特徴とする送受信転送システム。
【請求項２】
上記情報処理端末は、該情報処理端末の使用者に、上記携帯電話機から転送された上記着信データを報知する報知手段を有することを特徴とする請求項１記載の送受信転送システム。
【請求項３】
上記情報処理端末は、上記携帯電話機から転送された上記着信データを所望のデータ形式に変換する変換手段を有することを特徴とする請求項１記載の送受信転送システム。
【請求項４】
上記携帯電話機は、着信したデータを所望のデータ形式に変換する変換手段を有することを特徴とする請求項１記載の送受信転送システム。
【請求項５】
上記情報処理端末は、該情報処理端末の使用者がデータを入力するための入力手段と、上記入力手段を用いて作成された入力データを上記所定のインターフェースを介して上記携帯電話機へ転送する通信手段とを有し、
上記携帯電話機は上記情報処理端末から転送されたデータを上記使用者が選択した送信先へ発信すること
を特徴とする請求項１記載の送受信転送システム。
【発明の詳細な説明】
【技術分野】
【０００１】
本発明は、携帯電話機と情報処理端末とから構成される送受信転送システムに関する。
【背景技術】
【０００２】
携帯電話機が着信した電子メール等の着信データを、ＵＳＢなどのインターフェースを介して、情報処理端末へ転送し、情報処理端末側で着信データの内容を閲覧することが行われている。この転送処理を行うには従来、情報処理端末が携帯電話機に対して転送要求することが必要である。
【０００３】
【特許文献１】特開２００１−２５８０７１号公報
【発明の開示】
【発明が解決しようとする課題】
【０００４】
携帯電話機が着信した電子メール等の着信データは、即時性が高い。しかしながら従来では、携帯電話機が着信した着信データを情報処理端末へ転送する場合、情報処理端末は携帯電話機に対して転送要求することが必要であるので、ユーザは情報処理端末を使用している時に、携帯電話機が着信した着信データを即時に確認することができなかった。
【０００５】
本発明はこのような従来の実情に鑑みて提案されたものであり、携帯電話機が着信したデータを情報処理端末側でユーザが即時に確認することが可能である送受信転送システムを提供することを目的とする。
【課題を解決するための手段】
【０００６】
本発明に係る送受信転送システムは、携帯電話機と、上記携帯電話機と、所定のインターフェースを介して通信する情報処理端末とを備え、上記携帯電話機が着信した着信データを上記情報処理端末へ転送することを特徴とする。
【発明の効果】
【０００７】
本発明に係る送受信転送システムは、携帯電話機が着信したデータを所定のインターフェースを介して情報処理端末へ転送する。
【０００８】
このことにより、本発明に係る送受信転送システムは、情報処理端末からの受信要求がなくても、携帯電話機が着信した着信データを情報処理端末へ転送することができるので、ユーザは携帯電話機の着信データを即時に確認することができる。
【発明を実施するための最良の形態】
【０００９】
以下、本発明を適用した送受信転送システム１について、図面を参照しながら詳細に説明する。
【００１０】
図１は、本発明を適用した送受信転送システム１を示した構成図である。
【００１１】
送受信転送システム１は、図１に示すように、携帯電話機２と、コンピュータ３と、携帯電話機２とコンピュータ３とを接続して通信を行う通信ケーブル４とから構成される。
【００１２】
携帯電話機２は、無線電話回線網を介して、音声と電子メールとの着信データの送受信を行う携帯可能な通信装置である。携帯電話機２は、広域無線部２１と、携帯電話外部通信部２２と、アドレスデータ記録部２３と、操作部２４とを備えている。
【００１３】
広域無線部２１は、無線電話回線網を介して、音声及び電子メールの送受信を行う。
【００１４】
携帯電話外部通信部２２は、通信ケーブル４を介して、コンピュータ３と通信を行う。
【００１５】
アドレスデータ記録部２３は、書き換え可能な記録媒体である。ユーザは、予めユーザ以外の電話番号及び電子メールアドレスをアドレスデータ記録部２３に登録する。
【００１６】
操作部２４は、ユーザが携帯電話機２の各種機能の操作をする入力装置である。
【００１７】
なお、携帯電話機２のユーザは、携帯電話機２とコンピュータ３との間で通信を行わなくても、音声及び電子メールの送受信を行うことができる。しかし、本実施形態の送受信転送システム１は、携帯電話機２とコンピュータ３との間で通信を行うことで、ユーザが以下に示す有効な効果を得ることができる。
【００１８】
また、携帯電話機２は、通信ケーブル４を介して接続されるコンピュータ３との通信を制御する携帯電話送受信プログラムデータを備える。この携帯電話送受信プログラムデータは、携帯電話機２とコンピュータ３とを接続して転送作業を行う場合に必要であり、ユーザが携帯電話機２のみを使用する場合には必要ない。
【００１９】
コンピュータ３は、中央操作部３０と、コンピュータ外部通信部３１と、キーボード３２と、モニタ３３と、ネットワーク通信部３４とを備えている。
【００２０】
中央操作部３０は、コンピュータ外部通信部３１と、キーボード３２と、モニタ３３と、ネットワーク通信部３４とのデータ通信等の制御を行う。
【００２１】
コンピュータ外部通信部３１は、通信ケーブル４を介して、携帯電話機２と通信を行う。
【００２２】
キーボード３２は、ユーザがテキストデータを入力するデータ入力装置である。
【００２３】
モニタ３３は、テキストデータ及び画像データを表示する出力装置である。
【００２４】
ネットワーク通信部３４は、インターネット等のネットワークを介して通信を行う。
【００２５】
また、コンピュータ３は、通信ケーブル４を介して接続される携帯電話機２との通信を制御するコンピュータ送受信プログラムデータを備える。
【００２６】
通信ケーブル４は、携帯電話外部通信部２２とコンピュータ外部通信部３１とを接続する。たとえば、ＵＳＢ（Universal serial bus）ケーブルなどである。なお、有線通信に関わらず、Ｂｌｕｅｔｏｏｔｈなどの無線通信を用いるようにしてもよい。
【００２７】
では、携帯電話機２が電子メールを受信した時の送受信転送システム１の具体的な動作内容について、図２のフロー図を参照して説明をする。なお、図２のフロー図は、左側が携帯電話送受信プログラムデータの記述に応じた携帯電話機２の動作の時間的な流れを示し、右側がコンピュータ送受信プログラムデータの記述に応じたコンピュータ３の動作の時間的な流れを示している。
【００２８】
携帯電話機２が電子メールを受信すると、携帯電話外部通信部２２は、ステップＳ１１において、携帯電話送受信プログラムデータに記述された命令に従い、電子メール本文に送信元の電子メールアドレス等の見出し情報を含めた転送データを、通信ケーブル４を介して、コンピュータ３へ転送する。
【００２９】
転送データが携帯電話機２からコンピュータ３へ転送されると、中央操作部３０は、ステップＳ１２において、コンピュータ送受信プログラムデータに記述された命令に従い、コンピュータ３が実行しているプログラムに対して、転送データの受信通知をモニタ３３に表示する割り込み処理を行う。ユーザは、この割り込み処理によってモニタ３３に表示された電子メールの受信通知を即時に確認することができる。
【００３０】
このように、コンピュータ３を使用して携帯電話機２が受信したデータの転送要求をしなくても、ユーザは携帯電話機２が受信したデータを即時に確認することができる。
【００３１】
続いて、ユーザがキーボード３２を用いてテキストデータを作成すると、コンピュータ外部通信部３１は、ステップＳ１３において、コンピュータ送受信プログラムデータに記述された命令に従い、通信ケーブル４を介して、返信データを携帯電話機２へ送信する。携帯電話機２がコンピュータ３から返信データを受信すると、携帯電話外部接続部２２は、ステップＳ１４において、携帯電話送受信プログラムデータに記述された命令に従い、広域無線部２１を用いて返信データを送信先へ送信する。
【００３２】
なお、ユーザは、テキストデータによる返信に限らず、マイクロフォンを用いて音声データを作成することも可能であり、この音声データを電子メールの添付ファイルとして返信先へ送信してもよい。さらにユーザは、作成された音声データをテキストデータに変換することも選択できるようにしてもよい。ユーザが音声データをテキストデータに変換することを選択すると、コンピュータ外部通信部３１は、作成された音声データをテキストデータに変換する。
【００３３】
次に、携帯電話機２が音声を着信した時の送受信転送システム１の具体的な動作内容について、図３のフロー図を参照して説明をする。なお、図３のフロー図は、左側が携帯電話送受信プログラムデータの記述に応じた携帯電話機２の動作の時間的な流れを示し、右側がコンピュータ送受信プログラムデータの記述に応じたコンピュータ３の動作の時間的な流れを示している。
【００３４】
まず、携帯電話機２は、音声を受信して留守番電話機能で音声データを作成する。ここで留守番電話機能とは、携帯電話機２が音声を着信した時にユーザが応答しない場合に、送信者の伝言である音声データを記録する機能である。留守番電話機能で音声データが作成されると、携帯電話外部通信部２２は、ステップＳ２１において、携帯電話送受信プログラムデータに記述された命令に従い、アドレスデータ記録部２３を用いて送信元を特定し、送信元の通信アドレス一覧を作成する。ここで通信アドレス一覧とは、アドレスデータ記録部２３に登録されている送信元に関する全ての電話番号と電子メールアドレスとの情報である。例えば、図４に示すように、Ａさんの携帯電話機にＢさんから音声が着信されると、Ａさんの携帯電話機のアドレスデータ記録部より特定される通信アドレス一覧は、Ｂさんの自宅の電話番号４１と、Ｂさんの携帯電話機の電話番号４２と、Ｂさんの職場の電話番号４３と、Ｂさんの携帯電話機の電子メールアドレス４４と、Ｂさんがコンピュータで使用する電子メールアドレス４５との合計５つである。
【００３５】
続いて、携帯電話外部通信部２２は、ステップＳ２２において、携帯電話送受信プログラムデータに記述された命令に従い、留守番電話機能で作成された音声データに送信元の通信アドレス一覧を付加した転送データを、通信ケーブル４を介してコンピュータ３へ転送する。
【００３６】
次に、コンピュータ３が携帯電話機２からの転送データを受信すると、中央操作部３０は、ステップＳ２３において、コンピュータ送受信プログラムデータに記述された命令に従い、音声データをテキストデータに変換する。音声データがテキストデータに変換されると、中央操作部３０は、ステップＳ２４において、コンピュータ送受信プログラムデータに記述された命令に従い、ユーザが使用しているプログラムに対して通信アドレス一覧を含めた転送データの受信通知をモニタ３３に表示する割り込み処理を行うことで、ユーザは携帯電話機２が着信した着信通知を即時に確認することができる。
【００３７】
なお、データ形式の変換は、コンピュータ外部通信部３１で行われる場合に限らず、携帯電話外部通信部２２で行われるようにしてもよい。また、ユーザに携帯電話機２の着信を報知する手段は、音声データをテキストデータに変換せずに、モニタ３３の代わりに音声データを出力するスピーカを用いてもよい。また、携帯電話機２が電子メールを受信した場合も、中央操作部３０は、コンピュータ送受信プログラムデータを用いて、送信元の電子メールアドレスだけではなく、上述した通信アドレス一覧を作成して、ユーザに報知してもよい。
【００３８】
このように、通信アドレス一覧がユーザに報知されるので、ユーザは、携帯電話機２と通信しているコンピュータ３に送信元のアドレス情報がなかったとしても、通信アドレス一覧を利用して返信を行うことができる。また、携帯電話機２で着信した音声及び電子メールがコンピュータ３へ送信され、ユーザに報知することで、ユーザは、即時にコンピュータ３で携帯電話機２の着信通知を確認すること、及び、着信内容を閲覧することができる。
【００３９】
続いて、ユーザが携帯電話機２で着信した音声データに対して返信する場合、まずユーザはキーボード３２を用いて、テキストデータを作成する。ユーザは、ステップＳ２５において、コンピュータ送受信プログラムデータに記述された命令に従い、携帯電話機２の電話番号または電子メールアドレスを使用する返信手段と、コンピュータ３のネットワーク通信部３４を介して、コンピュータ３で使用する電子メールアドレスから返信する返信手段とから選択する。ユーザが携帯電話機２の電話番号または電子メールアドレスを使用した返信手段を選択すると、コンピュータ外部通信部３１は、キーボード３２で作成された返信データを、通信ケーブル４を介して、携帯電話機２へ返信データを送信する。また、ユーザがコンピュータ３で使用する電子メールアドレスの返信手段を選択すると、返信データは、ステップＳ２６において、ネットワーク通信部３４からインターネット等のネットワークを介して、送信先へ送信される。
【００４０】
携帯電話機２が返信データを受信すると、携帯電話外部通信部２２は、ステップＳ２７において、携帯電話送受信プログラムデータに記述された命令に従い、送信データを指定された送信先へ発信する。
【００４１】
なお、返信データを作成する手段は、キーボード３２でテキスト形式の返信データを作成する場合に限らず、マイクロフォンを用いた音声形式でもよい。また、ユーザは、コンピュータ送受信プログラムデータを用いて、キーボード３２で作成したテキストデータを音声データに変換して、携帯電話機２の電話番号を使用して音声を送信するようにしてもよい。
【００４２】
また、携帯電話機２が音声を着信した場合、留守番電話機能を使用せずにユーザが着信呼び出し中にモニタ３３に表示されるオフフックボタンを選択すると、通話相手先の音声がテキスト形式に変換され、変換されたテキストデータがモニタ３３に表示されるようにしてもよい。さらに、ユーザは、着信内容を即時に確認して返信データを作成し音声データに変換して、携帯電話機２で音声データに変換された返信データを通話相手先へ即時に送信するリアルタイム通信を行うことも可能である。
【００４３】
このように、ユーザは、携帯電話機２が着信した電話及び電子メールに対して、コンピュータ２が接続しているインターネットなどのネットワークを介して、返信作業を行うことができる。また、返信作業の通信手段として携帯電話機２を選択した場合、ユーザは、携帯電話機２の携帯電話操作部２４を直接操作せずにコンピュータ３を使用して返信することができる。
【００４４】
なお、本発明は上述した実施の形態のみに限定されるものではなく、本発明の要旨を逸脱しない範囲において種々の変更が可能であることは勿論である。
【図面の簡単な説明】
【００４５】
【図１】送受信転送システムを示した構成図である。
【図２】送受信転送システムの電子メール受信時の処理を説明するフロー図である。
【図３】送受信転送システムの音声受信時の処理を説明するフロー図である。
【図４】通信アドレス一覧を示した図である。
【符号の説明】
【００４６】
１  送受信転送システム、２  携帯電話機、３  コンピュータ、４  通信ケーブル、２１  広域無線部、２２  携帯電話外部通信部、２３  アドレスデータ記録部、２４  操作部、３０  中央操作部、３１  コンピュータ外部通信部、３２  キーボード、３３  モニタ、３４  ネットワーク通信部
【図１】
2006340200.tif 000003
【図２】
2006340200.tif 000004
【図３】
2006340200.tif 000005
【図４】
2006340200.tif 000006